(57)【要約】【課題】  気化フィルターを備えた加湿器において、光触媒を添着した気化フィルターに紫外線を照射して光触媒を活性化させ、気化フィルターの除菌効果を向上させる。【解決手段】  本体１の内部に水を保持する水槽部２と、水槽部２の水を吸水し気化する気化フィルター３と、気化フィルター３に送風する送風装置５とを備えた加湿器において、気化フィルター３を本体１内に回転可能に保持するとともに、気化フィルター３の表面に光触媒を添着し、気化フィルター３の近傍に紫外線ランプ７を備え、該紫外線ランプ７を点灯することにより気化フィルター３に紫外線が照射される部分を作り、運転中に気化フィルター３を回転軸８ａを中心に回転させ、気化フィルター３の紫外線が照射される部分が時間の経過とともに切り替わるようにする。【選択図】  図１
2005344979.tif 000002
【特許請求の範囲】
【請求項１】
本体（１）の内部に水を保持する水槽部（２）と、水槽部（２）の水を吸水し気化する気化フィルター（３）と、水槽部（２）に水を供給する給水部（４）と、気化フィルター（３）に送風する送風装置（５）と、運転をコントロールする制御装置（６）とを備え、気化フィルター（３）への送風により気化を促進して加湿を行う加湿器において、気化フィルター（３）を本体（１）内に回転可能に保持するとともに、気化フィルター（３）の表面に光触媒を添着し、気化フィルター（３）の近傍に紫外線ランプ（７）を備え、該紫外線ランプ（７）を点灯することにより気化フィルター（３）に紫外線が照射される部分を作り、運転中に気化フィルター（３）を回転軸（８ａ）を中心に回転させ、気化フィルター（３）の紫外線が照射される部分が時間の経過とともに切り替わることを特徴とする加湿器。
【請求項２】
気化フィルター（３）が停止と回転を繰り返し、気化フィルター（３）の紫外線が照射される部分を任意の間隔で切り替えることを特徴とする請求項１記載の加湿器。
【請求項３】
紫外線ランプ（７）を紫外線ＬＥＤとし、紫外線ＬＥＤを基板（９）上に複数個搭載して本体（１）の内部に備えたことを特徴とする請求項１記載の加湿器。
【請求項４】
運転スイッチ（１０）と表示用ランプ（１１）とを備え、運転スイッチ（１０）を押すと、送風装置（５）が動作して気化フィルター（３）に送風し、加湿を行うとともに、紫外線ランプ（７）が点灯し、気化フィルター（３）に紫外線を照射し、紫外線ランプ（７）と連動して表示用ランプ（１１）が点灯することを特徴とする請求項１記載の加湿器。
【請求項５】
紫外線ランプ（７）の紫外線照射方向に透明のシート（１２）を備え、該シート（１２）の片面の一部分に紫外線を透過させないように不透明部（１３）を作り、紫外線が不要な部分に当たらないようにしたことを特徴とする請求項１記載の加湿器。
【発明の詳細な説明】
【技術分野】
【０００１】
本発明は、気化フィルターを備えた加湿器に関するもので、光触媒を添着した気化フィルターに紫外線を照射して光触媒を活性化させ、気化フィルターを除菌する構造に関するものである。
【背景技術】
【０００２】
従来、紫外線にて光触媒を活性化し、フィルター等の除菌効果を得るための構造として、特許文献１に示すように、空気清浄機のエアーフィルターに紫外線ＬＥＤを組み合わせたものがある。
【０００３】
【特許文献１】特開２００２−１２６０５５号公報
【発明の開示】
【発明が解決しようとする課題】
【０００４】
上記特許文献１に示すような空気清浄器の場合には、フィルターの吸込側が汚れるため、その吸込側に紫外線ＬＥＤを備えると紫外線の照射される面は吸込側片面だけであるが、汚れている面がその片面がほとんどであるため除菌効果を得ることができる。
【０００５】
また、フィルターは紫外線が遮光されないような薄いものを使用すれば、紫外線の照射面の裏側でも除菌効果が得られる。
【０００６】
しかし、気化フィルターを備えた加湿器においては、該気化フィルターに上記空気清浄機の技術を利用して除菌しようとすると、気化フィルターは水を吸い上げて気化させるものであるため、水が汚れていると気化フィルターは表裏両面とも同じように汚れてしまい、また、気化フィルターは厚さが厚く、紫外線照射面の裏面には紫外線が届かないため、気化フィルターの片面だけに紫外線を照射するだけでは除菌効果が十分に得られないものであった。
【課題を解決するための手段】
【０００７】
本発明は上記の課題を解決するためになされたもので、請求項１では、本体の内部に水を保持する水槽部と、水槽部の水を吸水し気化する気化フィルターと、水槽部に水を供給する給水部と、気化フィルターに送風する送風装置と、運転をコントロールする制御装置とを備え、気化フィルターへの送風により気化を促進して加湿を行う加湿器において、気化フィルターを本体内に回転可能に保持するとともに、気化フィルターの表面に光触媒を添着し、気化フィルターの近傍に紫外線ランプを備え、該紫外線ランプを点灯することにより気化フィルターに紫外線が照射される部分を作り、運転中に気化フィルターを回転軸を中心に回転させ、気化フィルターの紫外線が照射される部分が時間の経過とともに切り換わるようにしたものである。
【０００８】
また、請求項２では、気化フィルターが停止と回転を繰り返し、気化フィルターの紫外線が照射される部分を任意の間隔で切り替えるようにしたものである。
【０００９】
また、請求項３では、紫外線ランプを紫外線ＬＥＤとし、紫外線ＬＥＤを基板上に複数個搭載して本体の内部に備えたものである。
【００１０】
また、請求項４では、運転スイッチと表示用ランプとを備え、運転スイッチを押すと、送風装置が動作して気化フィルターに送風し、加湿を行うとともに、紫外線ランプが点灯し、気化フィルターに紫外線を照射し、紫外線ランプと連動して表示用ランプが点灯するようにしたものである。
【００１１】
さらに、請求項５では、紫外線ランプの紫外線照射方向に透明のシートを備え、該シートの片面の一部分に、紫外線を透過させないように不透明部を作り、紫外線が不要な部分に当たらないようにしたものである。
【発明の効果】
【００１２】
上記本発明によれば、運転中に気化フィルターが回転し、かつ、停止と回転を繰り返すので、紫外線が照射される面が一定間隔で切り替わり、気化フィルターの表裏両面とも紫外線が照射される。そして、紫外線が照射される部分は光触媒が活性化され、除菌効果が得られるので、気化フィルターの表裏両面で除菌を行うことができる。
【００１３】
また、紫外線ランプとして紫外線ＬＥＤを使用し、紫外線ＬＥＤを基板上に複数個搭載しているので、コンパクトにまとまり、加湿器の内部のような狭い空間にも設置することができる。
【００１４】
また、本体に運転スイッチと表示用ランプとを備え、運転スイッチを押すと運転と同時に紫外線ランプが点灯し、連動して表示用ランプが点灯するので、紫外線ランプが点灯して除菌を行っているという情報が使用者にわかりやすく伝わる。
【００１５】
さらに、紫外線ランプの紫外線照射方向に透明のシートを備え、該透明シートの片面に紫外線を透過させない不透明部を作り、紫外線の照射が不要な部分に当たらないようにしたので、気化フィルター以外の樹脂部品等や該部品の隙間等から本体外部に紫外線が照射されて樹脂部品が劣化するのを防ぎ、また、不用意に本体内部を覗き込んだときに紫外線を直接見てしまう機会を減らすことができる。
【発明を実施するための最良の形態】
【００１６】
本発明の一実施例を図１から図７に従って説明する。
【００１７】
本体１の内部に、一定量の水を保持する水槽部２と、水槽部２内の水を吸水して気化する気化フィルター３と、水槽部２に水を供給するカートリッジ式の水タンク１４と弁機構１５からなる給水部４と、気化フィルター３に送風する送風装置５と、運転をコントロールする制御装置６が備えられている。
【００１８】
前記気化フィルター３は、不織布を加工したもので、気化面積を大きくするために蛇腹状に折り込んであり、また、風を通りやすくするため図示しないが小穴が多数明けられている。
【００１９】
また、気化フィルター３は、表面に光触媒を添着し、その近傍に２個の紫外線ＬＥＤよりなる紫外線ランプ７を基板９上に搭載して設置しており、気化フィルター３表面の光触媒を紫外線ランプ７の紫外線で照射するようにしている。
【００２０】
また、気化フィルター３は、樹脂製の枠１６内に収まっており、枠１６の一側壁面の略中間部に回転軸８ａと継ぎ手１７、他側の壁面の略中間部に支え軸８ｂを備え、継ぎ手１７に同期モーター１８の軸が嵌合されており、気化フィルター３は同期モーター１８に連動して回転軸８ａを中心に回転する。
【００２１】
また、継ぎ手１７部には突起１９が設けられており、回転軸８ａの回転により突起１９がその近傍に設けられたマイクロスイッチ２０を動作させることにより気化フィルター３の回転角度を検出できるようにしている。
【００２２】
前記突起１９は、継ぎ手１７部の外周上にそれぞれ１８０°反対方向に位置するように２個設けられており、気化フィルター３を回転させると１８０°ごとにマイクロスイッチ２０がＯＮするようにし、そのＯＮしたときに気化フィルター３の回転を一定時間停止させ、その一定時間の間隔で気化フィルター３を反転させることができるようにしている。
【００２３】
本体１の上面には、運転スイッチ１０と表示用ランプ１１とを備えており、運転スイッチ１０を押すと、送風装置５が動作し、紫外線ランプ７が点灯し、紫外線ランプ７と連動して表示用ランプ１１が点灯する。
【００２４】
また、紫外線ランプ７の紫外線照射方向に透明のシート１２を備え、その透明のシート１２の片面で紫外線の照射が不要な部分には塗料を塗って不透明部１３を設け、紫外線が不透明部１３に遮られて当たらない構造となっている。
【００２５】
２１は加湿空気の吹出口で、送風装置５及び気化フィルター３と連なるように本体１上面の適所に設けられている。
【００２６】
次に、本実施例の動作を説明する。
【００２７】
水タンク１４内の水は給水部４の弁機構１５を通り、水槽部２に水位が一定となるように供給される。水槽部２内の気化フィルター３は水槽部２内の水を吸上げ保水する。
【００２８】
この状態で運転スイッチ１０を押すと、送風装置５が動作し、矢印イのように気化フィルター３に空気を送り、気化フィルター３上で水を気化し、空気を加湿する。
【００２９】
そして、加湿された空気は矢印ロのように本体１上面の吹出口２１から本体１の外部に放出されて室内の湿度を上げる。送風装置５の動作は制御部６により、コントロールされる。
【００３０】
また、前記した運転スイッチ１０を押すと、紫外線ＬＥＤよりなる紫外線ランプ７が点灯して気化フィルター３に紫外線を照射するとともに、表示用ランプ１１が点灯する。
【００３１】
また、気化フィルター３は、同期モーター１８が駆動することにより継ぎ手１７を介して回転軸８ａ及び支え軸８ｂを中心に回転する。このとき、継ぎ手１７部の外周上にそれぞれ１８０°反対方向に位置するように突起１９が２個設けられているため、気化フィルター３が回転すると１８０°ごとにマイクロスイッチ２０がＯＮし、そのＯＮしたときに気化フィルター３の回転が一定時間停止し、その一定時間の間隔で気化フィルター３が反転する。気化フィルター３が一定時間ごとに１８０°反転すると、前記した紫外線の照射される面が切り替わり、気化フィルター３の表裏両面とも紫外線が照射される。そして、紫外線が照射される面は光触媒が活性化されて除菌効果が得られるので、気化フィルター３は表裏両面で除菌を行うことができる。
【００３２】
このように、本発明によれば、加湿器の運転中に気化フィルター３が回転し、停止と回転を繰り返すので、紫外線が照射される面が一定間隔で切り替わり、気化フィルター３の表裏両面とも紫外線が照射される。
【００３３】
そして、紫外線が照射される部分は光触媒が活性化され除菌効果が得られるので、気化フィルター３の表裏両面で除菌を行うことができ、除菌を十分に行うことができる。
【００３４】
また、紫外線ランプ７として紫外線ＬＥＤを使用し、紫外線ＬＥＤを基板９上に複数個搭載しているので、コンパクトにまとまり、加湿器の内部のような狭い空間にも設置することができる。
【００３５】
また、本体１に運転スイッチ１０と表示用ランプ１１とを備え、運転スイッチ１０を押すと、運転と同時に紫外線ランプ７が点灯し、これと連動して表示用ランプ１１が点灯するので、紫外線ランプ７が点灯して除菌を行っているという情報が使用者にわかりやすく伝わる。
【００３６】
さらに、紫外線ランプ７の紫外線照射方向に透明のシート１２を備え、該透明シート１２の片面に紫外線を透過させない不透明部１３を作り、紫外線の照射が不要な部分に当たらないようにしたので、気化フィルター３以外の樹脂部品等や該部品の隙間等から本体１外部に紫外線が照射されて樹脂部品が劣化するのを防ぎ、また、不用意に本体１内部を覗き込んだときに紫外線を直接見てしまう機会を減らすことができる。
【図面の簡単な説明】
【００３７】
【図１】本発明の一実施例を示す側面概略断面図である。
【図２】本発明の一実施例を示す気化フィルターが回転中の側面概略断面図である。
【図３】本発明の一実施例を示す正面概略断面図である。
【図４】本発明の一実施例を示す正面概略断面図である。
【図５】本発明の一実施例を示す紫外線ＬＥＤと基板他の概略断面図である。
【図６】本発明の一実施例を示す図５の右側面図である。
【図７】本発明の一実施例を示す図５の左側面図である。
【符号の説明】
【００３８】
１    本体
２    水槽部
３    気化フィルター
５    送風装置
６    制御装置
７    紫外線ランプ
８ａ  回転軸
９    基板
１０    運転スイッチ
１１    表示用ランプ
１２    シート
１３    不透明部
１４    水タンク
１６    枠
１７    継ぎ手
１８    同期モーター
１９    突起
２０    マイクロスイッチ
【図１】
2005344979.tif 000003
【図２】
2005344979.tif 000004
【図３】
2005344979.tif 000005
【図４】
2005344979.tif 000006
【図５】
2005344979.tif 000007
【図６】
2005344979.tif 000008
【図７】
2005344979.tif 000009